(57)【要約】【課題】ホログラムの色彩効果（キラキラ感）の向上を図る。【解決手段】光源４からの光が直接入射するようにホログラム３のシートを配置し、その配置したホログラム３のシートからの反射光が入射するようにレンチキュラーレンズ１を配置する。こうすることで、ホログラム３への入射光は、ホログラム３のエンボスでの反射あるいは回折で拡散され、この拡散された反射光は、レンチキュラーレンズ１に入射すると、レンチキュラーレンズ１が拡散された光を集光して拡散された光に強弱をつけ、広い範囲で色彩効果（キラキラ感）を得ることができるようにして、ホログラムの色彩効果（キラキラ感）の向上を図る。【選択図】  図２
2005010263.tif 000002
【特許請求の範囲】
【請求項１】
エンボスホログラムに光を照射し、その照射したエンボスホログラムの反射光をレンチキュラーレンズを介して見せるようにしたディスプレイ方法。
【請求項２】
光が照射されるように配置したエンボスホログラムと、そのホログラムの反射光を透過するように配置したレンチキュラーレンズとからなるディスプレイ。
【請求項３】
エンボスホログラムシートを円あるいは多角筒にして形成した内筒と、レンチキュラーレンズシートを円あるいは多角筒に形成した外筒とからなり、その外筒に内筒を収容して外筒の片端あるいは両端から光を入射するようにしたディスプレイ。
【請求項４】
上記請求項２または請求項３に記載の照射あるいは入射光を照明用光源とした照明装置。
【発明の詳細な説明】
【０００１】
【発明の属する技術分野】
この発明は、エンボスホログラムとレンチキュラーレンズとを使った、屋内や屋外の装飾、店舗装飾、遊戯装飾、教育玩具、広告などに使用される新しいディスプレイ及び照明装置に関するものである。
【０００２】
【従来の技術】
エンボスホログラム（以下、ホログラム）、例えば、ホログラムシートは、レリーフ型ホログラムをエンボスした樹脂シートのエンボス面に、金属あるいは高屈折率透明物質を蒸着したもので、蒸着層での反射や回折光が互いに干渉することにより、独特な色彩と三次元効果を醸し出すことができる。
【０００３】
そのため、そのまま装飾用として用いたり、偽造防止に用いたりする他、裏面に粘着層を設けて、〔特許文献１〕のようにシールやステッカーとして使用されている。
【０００４】
一方、レンチキュラーレンズは、かま鉾型の断面をした複数のシリンドリカルレンズを並列に形成したもので、各レンズごとに径方向に対する視点角度に応じて焦点位置が変化するというものである。したがって、光を一方向（レンズと垂直方向）に拡散する。
【０００５】
そのため、図６で示す〔特許文献２〕のように、レンチキュラーレンズ１の背面に印刷層２を設けて、その印刷層２にかま鉾型の各レンズ１と並行にストライプ状の画像を設けると、角度に応じて見える画像ＡＢが異なるので、カードやシートに使用したり、表示装置やディスプレイ分野などで使用されている。
【０００６】
ところで、上記のホログラムでは、蒸着層はエンボスの凹凸に沿って形成される。そのため、蒸着層での反射や回折はエンボスの凹凸によって規制されてしまい、ホログラム単体による色彩効果（キラキラ感）の向上には限度がある。
【０００７】
ここで、図６の印刷層２に代えて、レンチキュラーレンズ１の背面にホログラム３を設ければ、レンチキュラーレンズ１は各レンズごとに視点角度に応じて焦点位置が変化するので、焦点位置が拡散し、色彩効果（キラキラ感）が向上すると考えられる。
【０００８】
【特許文献１】
実開平５−１６３００号公報
【特許文献２】
登録実用新案第３０５０４７０号公報
【０００９】
【発明が解決しようとする課題】
しかしながら、上記のようにレンチキュラーレンズの背面にホログラムを設けても、期待した程の効果は得られなかった。
【００１０】
これは、入射光がレンチキュラーレンズを介してホログラムに達し、ホログラムに達した入射光の反射がレンチキュラーレンズを介して集光されるので、ホログラムによる拡散を阻害して、逆に、色彩効果（キラキラ感）の向上を阻む結果となると考えられる。
【００１１】
そこで、この発明の課題は、色彩効果（キラキラ感）の向上を図れるようにすることである。
【００１２】
【課題を解決するための手段】
上記の課題を解決するため、この考案では、エンボスホログラムに光を照射し、その照射したエンボスホログラムの反射光をレンチキュラーレンズを介して見せるようにした構成を採用したのである。
【００１３】
このような構成を採用することにより、ホログラムへの入射光は、ホログラムのエンボスでの反射あるいは回折で拡散される。この拡散された反射光は、レンチキュラーレンズに入射すると、レンチキュラーレンズが、拡散された光を集光して拡散された光に強弱をつけると考えられる。そのため、広い範囲で色彩効果（キラキラ感）を得ることができるので、明るさを倍加させることができる。
【００１４】
このとき、光が照射されるように配置したエンボスホログラムと、そのホログラムの反射光を透過するように配置したレンチキュラーレンズとからなる構成を採用することができる。
【００１５】
このような構成を採用することにより、レンチキュラーレンズから色彩効果（キラキラ感）の増加した、例えば、電飾のような装飾効果のあるホログラムを見ることができる。
【００１６】
また、このとき、エンボスホログラムシートを円あるいは多角筒にして形成した内筒と、レンチキュラーレンズシートを円あるいは多角筒に形成した外筒とからなり、その外筒に内筒を収容して外筒の片端あるいは両端から光を入射するようにした構成を採用することができる。
【００１７】
このような構成を採用することにより、外筒端からの入射光は、内筒のホログラムの反射や回折で拡散される。その拡散された反射光は、外筒のレンチキュラーレンズが集光して強弱をつけるので、外筒の全周にわたって、色彩効果（キラキラ感）を倍加させたホログラムを見ることができる。
【００１８】
また、このとき、上記照射あるいは入射光を照明用光源とした構成を採用することにより、これらのディスプレイを照明装置として用いることができる。
【００１９】
【発明の実施の形態】
以下、この発明の実施の形態を図面に基づいて説明する。
図１に、この発明のディスプレイの第１実施形態を示す。
図１のディスプレイは、エンボスホログラム３のシートと、レンチキュラーレンズ１とで構成されている。
【００２０】
ホログラム３のシートは、先にも述べたように、レリーフ型ホログラムをエンボスした樹脂シートに例えば金属または高屈折率で透明な材料を蒸着したものである。
【００２１】
レンチキュラーレンズ１は、複数のかま鉾型のレンズ（断面形状）を並列に形成したもので（シリンドリカルレンズ）、ここではシート状のものを使用している。このかま鉾型の一つ一つの凸レンズは像を圧縮（集光）する作用があり、かま鉾型のレンズの径方向に対する視点角度に応じて、焦点位置が変化するというものである。
【００２２】
この形態は、上記のように構成されており、前記ディスプレイは、図１のように、光源４（ハロゲン電球、ＬＥＤなどのバンド幅の限られたものの方が、効果は大きいが、これ以外でも蛍光灯や白熱電球などでも効果は限定されるが使用できる。太陽光は光が強いので可）からの光が直接入射するようにホログラム３のシートを配置し、その配置したホログラム３のシートからの反射光が入射するようにレンチキュラーレンズ１を配置してある。
【００２３】
このようにホログラム３のシートとレンチキュラーレンズ１を配置すると、図２に示すように、入射光５は、ホログラム３のシートのエンボスで反射あるいは回折により拡散される。この拡散された反射光７は、レンチキュラーレンズ１に入射すると、レンチキュラーレンズ１により集光されるので、図２のように焦点位置があちこちにできて拡散された光に強弱をつけると考えられる。そのため、広い範囲で強い色彩の効果（キラキラ感）を得ることができ、明るさも倍加させることができる。
【００２４】
図３に第２実施形態を示す。
【００２５】
この形態のディスプレイは、ホログラム３としてホログラム３のフィルムで文字を切り抜いた、いわゆる切り文字シートを用いたものを示す。このようなホログラム３を用いると、レンチキュラーレンズ１によってきらきらと光った文字のホログラムを見せることができる。
【００２６】
このため、文字ばかりでなく、様々な絵柄などを切り抜いたホログラムの他、ホログラム３に文字や絵柄などを形成したもの（エンボスによる文字や絵柄などの模様）を用いると、キラキラと輝いた従来と違うホログラム３の色彩効果を得ることができる。
【００２７】
そのため、屋内や屋外の装飾、店舗装飾、遊戯装飾などの他、教育玩具や広告媒体（例えば、電飾看板など）としても使用すると、従来の装飾や広告などのものに比べて大きな効果が期待できる。
【００２８】
図４に第３実施形態を示す。
【００２９】
この形態のディスプレイは、円筒形のもので、図４（ａ）は、ホログラム３のシートを円筒に形成した内筒８である。図４（ｂ）は、レンチキュラーレンズ１のシートを円筒に形成した外筒９である。また、図４（ｃ）は、図４の（ａ）の内筒８を図４（ｂ）の外筒９に収容したもので、内筒８を収容（入射光５が内筒８と外筒９の間を進めるように隙間を開けて）した外筒９の両端に光源４を設けて光を入射するようにしたものである。
【００３０】
このようにすることにより、両端からの入射光５が内筒８のホログラム３のシートで反射あるいは回折により拡散され、拡散された反射光７がレンチキュラーレンズ１に入射すると、レンチキュラーレンズ１によって集光されるため、焦点位置があちこちにできて、拡散された光に強弱をつける。そのため、外筒９の全周が、キラキラとホログラムだけのときに比べて、色彩効果満点に明るく発光する。
【００３１】
なお、内筒８のホログラム３には、文字や絵柄のものを使っても良いことは当然である。そのため、装飾、店舗装飾、遊戯装飾、教育玩具、広告などに適用可能である。
【００３２】
また、ここでは、内筒８と外筒９に円筒を用いたが、これに限定されるものではなく、三角、四角、五・・・などの多角筒を用いてもよい。
さらに、ここでは、光源４を外筒９の両端に設けたが片端側だけでもよい。
【００３３】
図５に第４実施形態を示す。
【００３４】
図５（ａ）と（ｂ）は、この発明を照明装置に適用した例を示したもので、いずれも照明用のスタンドに使用したものである。
【００３５】
いずれのものも照明用の光源（例えば、ハロゲン電球、ＬＥＤ．．．．）１０を備えており、図５（ａ）のものでは、内蔵した照明用の光源１０によって前面に設けたレンチキュラーレンズ１の部分が光るようになっている。
【００３６】
一方、図５（ｂ）では、円筒部分の両端に設けた照明用の光源１０により、円筒部分の全周が光るようになっている。
【００３７】
【発明の効果】
この発明は、上記のように構成したことにより、ホログラムの色彩効果（キラキラ感）の向上を図れる。
【図面の簡単な説明】
【図１】第１実施形態の模式図
【図２】第１実施形態の作用説明図
【図３】第２実施形態の模式図
【図４】（ａ）第３実施形態の斜視図
（ｂ）第３実施形態の斜視図
（ｃ）第３実施形態の作用説明図
【図５】（ａ）第４実施形態の斜視図
（ｂ）第４実施形態の斜視図
【図６】従来例の作用説明図
【符号の説明】
１  レンチキュラーレンズ
３  エンボスホログラム
４  光源
５  入射光
６  エンボス
７  反射光
８  内筒
９  外筒
１０  照明用光源
【図１】
2005010263.tif 000003
【図２】
2005010263.tif 000004
【図３】
2005010263.tif 000005
【図４】
2005010263.tif 000006
【図５】
2005010263.tif 000007
【図６】
2005010263.tif 000008